【手続補正書】
【提出日】平成18年2月3日(2006.2.3)
【手続補正１】
【補正対象書類名】明細書
【補正対象項目名】特許請求の範囲
【補正方法】変更
【補正の内容】
【特許請求の範囲】
【請求項１】  流管（７０１）及びバランスバー（７０２）を有していて、上記流管が中央部分と各端部における延長部とからなり、該流管及びバランスバーが使用時に駆動平面内で逆の位相で振動して上記振動する流管を通って流れる物質に関する情報を表す上記振動する流管のコリオリ応答を生成するようにしたコリオリ流量計であって、
上記バランスバーが上記流管の中央部分を取り囲むようにこれに実質的に平行になるようにして上記流管の中央部分及びバランスバーを取り囲むケース（７０３）と、
該ケースの第１及び第２の軸方向端部（７０４）と、
上記ケース端部より突出する上記流管延長部を受け入れるための、上記流管延長部の縦方向の軸と同軸状の各々の上記ケース端部における開口（７２１）と、
上記バランスバーの端部を上記流管に連結する受けバー（７０９）と、
上記バランスバーに連結された第１の端部を有し、上記ケースの内壁に連結された第２の端部を有し、上記駆動平面内の上記流管の縦方向の軸に垂直な方向における上記受けバー及び上記バランスバーの端部の運動を禁止するように作用するケース連結リンク（７１０）と、
上記ケース端部に連結された外周部を有し、上記流管延長部を密封可能に受け入れるための上記流管延長部と同軸状の円形開口を有し、上記流管延長部の末端と上記ケース連結リンクとの間に軸方向に配置された円錐形連結部（７２３）と、
からなることを特徴とするコリオリ流量計（７００）。
【請求項２】  上記流管が上記ケースの全長にわたって延び、上記円錐形連結部における上記円形開口を通って上記流管延長部の末端に向かって上記ケース端部より突出する上記流管延長部（７０１Ｌ，７０１Ｒ）を有するようにしたことを特徴とする請求項１に記載のコリオリ流量計。
【請求項３】  上記流管延長部の末端（７０７，７０８）が上記ケース端部の軸方向外方にいずれの構造にも取り付けられないようにしたことを特徴とする請求項２に記載のコリオリ流量計。
【請求項４】  物質源に連結されるように各々の上記流管延長部の末端に連結された端側フランジ（８０６）と、
該端側フランジの軸方向の端面における円形開口と、
上記流管延長部に密封可能に係合する上記円形開口の内面における壁部と、
をさらに含むことを特徴とする請求項２に記載のコリオリ流量計。
【請求項５】  各々の上記ケース端部に連結され上記ケース端部より軸方向外方に延びるネック部であって、上記流管延長部と同軸状の中心開口と上記ケース端部及びネック部より突出する上記流管延長部の部分を取り囲む内面とを有し、上記ネック部の内面が上記流管延長部の直径より大きい直径を有するようにしたネック部（７２２）と、
上記流管延長部と上記ネック部の内面との間の空間によって形成される上記ネック部における円形空所と、
をさらに含むことを特徴とする請求項１に記載のコリオリ流量計。
【請求項６】
上記ケース連結リンクの平坦な面における曲線状部分（７１１）をさらに含むことを特徴とする請求項１に記載のコリオリ流量計。
【請求項７】  上記円錐形連結部（９２３）が該円錐形連結部の連結される上記ケース端部の部分の直径の変化に応じて上記円錐形連結部の有効直径が変化できるようにするための平面から外れた屈曲部（１００３）を有する平坦な面（１００２）を有することを特徴とする請求項１に記載のコリオリ流量計。
【請求項８】  上記ケース連結リンク（１１１０）の第２の端部が上記ケースの内壁（１１２９）に連結された中間連結部（１１０６）によって上記ケースの壁部に連結されるようにしたことを特徴とする請求項１に記載のコリオリ流量計。
【請求項９】  上記中間連結部が、周囲が上記ケースの内壁の面に連結された上記円錐形連結部（１１２３）の面（１１０２）を含むようにしたことを特徴とする請求項８に記載のコリオリ流量計。
【請求項１０】  上記流管の中央部及び上記バランスバーを駆動平面内で相互に逆の位相になるようにして振動させ、該駆動平面内における振動と上記物質の流れとが統合的に上記流管にコリオリ撓みを生ずる作用を有するようにした駆動源Ｄと、
上記コリオリ撓みを検出し、その検出に応じて上記物質の流れに関する情報を表す信号を生成する、上記流管に連結されたピックオフ（ＬＰＯ，ＲＰＯ）と、
該ピックオフから上記信号を受け取って上記物質の流れに関する出力情報を生成する流量計電子回路（８０１）と、
をさらに含むことを特徴とする請求項１に記載のコリオリ流量計。
【請求項１１】  上記流管及び流管延長部が上記ケースの全長にわたって一定の直径で延び、該一定の直径で上記ケース連結リンク手段の開口を通って上記流管延長部の末端まで突出するようにしたことを特徴とする請求項５に記載のコリオリ流量計。
【請求項１２】  各々の上記流管延長部の末端（７０７，７０８）が上記ケース端部から軸方向外方にいずれの構造にも取り付けられないようにしたことを特徴とする請求項１１に記載のコリオリ流量計。
【請求項１３】  コリオリ流量計が物質源に連結されるようにするため各々の上記流管延長部の末端に連結された端側フランジ（８０６）と、
該端側フランジの軸方向端面における円形開口と、
上記流管延長部に密封可能に係合する上記円形開口の内面における壁部と、
をさらに含むのことを特徴とする請求項１１に記載のコリオリ流量計。
【請求項１４】  上記流管延長部の端部の外面と、上記ケース端部のネック部の内面と、上記端側フランジの一部分の内面との間の空間によって形成された密封された空所（７２１）を含み、上記密封された空所が上記流管延長部に密封可能に係合する上記端側フランジの外方に突出する要素（８２７）からなる軸方向外側の端部を有し、上記密封された空所が上記円錐形連結部（７２３）からなる軸方向内側端部を有するようにしたことを特徴とする請求項１３に記載のコリオリ流量計。
【請求項１５】  端側フランジ（８０６，９０６）と、
該端側フランジと一体的な第１の端部を有し、上記ケース端部のネック部の軸方向外側端部に連結された第２の端部を有する上記端側フランジのネック部（８０５）と、
上記流管延長部の末端を受け入れるための上記端側フランジ及びそのネック部における開口と、壁部が上記流管延長部の末端部分を密封可能に受け入れる内径を有する開口を有する上記端側フランジの軸方向外面における軸方向外方に突出する部分（８２７）と、
をさらに含み、上記端側フランジのネック部及び上記端側フランジの一部分における開口が上記流管延長部の外面と、上記端側フランジのネック部の内面と、上記端側フランジの一部分の内面との間に空所（７２１）を形成するように上記流管の外面より実質的に大きい直径を有するようにしたことを特徴とする請求項１１に記載のコリオリ流量計。
【請求項１６】  上記ケースが上記流管の縦軸方向に平行な平行な壁部（７１２）を含み、
上記ケースがさらに上記壁部の端部に取り付けられ上記壁部に実質的に垂直に向いたケース端部（７０４）を含み、
上記ケース端部の外面が上記ケース端部の開口と同軸状のネック部を含み、上記ケース端部の開口が上記ケース端部より軸方向外方に突出する上記流管延長部の部分（７０１Ｌ，７０１Ｒ）と上記円錐形連結部（７２３）とを受け入れ、上記ネック部（７２２）が上記流管延長部の外面と上記ネック部の内面との間の空間からなる空所（７２１）を形成するように上記流管の外面より大きい直径の内面を有するようにしたことを特徴とする請求項５に記載のコリオリ流量計。
【請求項１７】  コリオリ流量計が配管に連結されるようにするため上記流管延長部の末端に連結された端側フランジ（８０６）をさらに含むことを特徴とする請求項１６に記載のコリオリ流量計。
【請求項１８】  上記ケースが上記流管の縦方向の軸に平行に向いた壁部（９１２）を含み、
上記ケース端部（９２８）の壁部が上記壁部に対して垂直方向から偏倚して曲面状になっており、
上記ケース端部の曲面状部分の内面が上記円形の円錐形連結部（９２３）の半径方向外端（９３２）を受け入れる手段を含み、
上記流管が上記連結部と上記ケース端部のネック部の空所とを通って上記ケースの全長にわたって上記ネック部より軸方向外方に流管延長部の末端（９０７）まで延びるようにしたことを特徴とする請求項１１に記載のコリオリ流量計。
【請求項１９】  上記流管延長部の末端が上記ケース端部から軸方向外方にいずれの構造にも取り付けられないようしたことを特徴とする請求項１８に記載のコリオリ流量計。
【請求項２０】  コリオリ流量計が配管に連結されるようにするため上記流管延長部の末端（９０７）に連結された端側フランジ（９０６）をさらに含むことを特徴とする請求項１８に記載のコリオリ流量計。
【請求項２１】  上記ケースが上記流管の中央部の縦方向の軸に平行に向いた壁部（９１２）を含み、
上記ケース端部の壁部が上記壁部に対して垂直方向から偏倚した曲面状部分（９２８）を有し、
上記ケース端部の軸方向内側部分の内面が上記円形の連結部の外端（１１２９）を受け入れるようにするため上記ケースの内径に等しい直径を有し、
上記流管及び上記流管延長部が上記ケースの全長にわたって延び、上記流管延長部が上記連結部（１１２３）の中心開口と上記ケース端部のネック部（９２４）の空所（９３０）とを通って上記ネック部より軸方向外方に流管延長部の末端（９０７）まで延びるようにしたことを特徴とする請求項１１に記載のコリオリ流量計。
【請求項２２】  各々の上記流管延長部の末端（９０７）が上記ケース端部より軸方向外方にいずれの構造にも取り付けられないようにしたことを特徴とする請求項２１に記載のコリオリ流量計。
【請求項２３】  コリオリ流量計が配管に連結されるようにするため上記流管延長部の末端に連結された端側フランジ（９０６）をさらに含むことを特徴とする請求項２１に記載のコリオリ流量計。
【請求項２４】  端側フランジ（９０６）と、
上記流管延長部の端側部分の末端（９０７）を受け入れるための上記端側フランジにおける開口と、
をさらに含み、上記端側フランジのネック部（９２５）が上記端側フランジの軸方向内側部分と一体的な第１の端部を有し、また上記ケース端部のネック部（９２４）の軸方向外側端部に連結された軸方向内側端部を有し、
上記端側フランジ及びそのネック部がともに上記流管延長部と同軸状の内面を有し、
上記端側フランジのネック部と上記端側フランジの軸方向内側部分とにおける上記内面の開口が、上記流管延長部の外面と、上記端側フランジのネック部の内面と、上記端側フランジの軸方向内側部分との間に空所を形成するように上記流管延長部の外側より大きい直径を有し、
上記端側フランジの軸方向外側部分が、内壁が上記流管延長部の末端を密封可能に受け入れるようにするため上記流管の直径に近い大きさの直径を有する中心開口を有する軸方向に突出する部分（９２７）をなす
ようにしたことを特徴とする請求項２１に記載のコリオリ流量計。
【請求項２５】  上記ケース連結リンク（１１０）が相互に対して角度をなす方向に向いた上記部材の２つの脚部（１１０７，１１０８）をなす中間部分における屈曲部を有する平坦な細長い部材（１１１０）からなり、
上記脚部のうちの第１の脚部の半径外方内側の端部（１１０５）が上記バランスバーの一端（１１０５）に連結され、
上記脚部のうちの第２の脚部の軸方向外方の端部（１１０６）が上記バランスバーの端部（１１０５）を上記ケースの内壁に連結する一連の経路をなすように上記円錐形連結部の面に連結され、
上記一連の経路が上記ケース連結リンクの第１及び第２脚部（１１０７，１１０８）と上記円錐形連結部の一部分（１１０２）とからなるようにしたことを特徴とする請求項２１に記載のコリオリ流量計。
【請求項２６】  上記２つ脚部（１１０７，１１０８）が相互に対して実質的に９０°をなす向きになるようにしたことを特徴とする請求項２５に記載のコリオリ流量計。
【請求項２７】  上記流管延長部の末端（９０７）が上記ケース端部の軸方向外方でいずれの構造にも取り付けられないようにしたことを特徴とする請求項２５に記載のコリオリ流量計。
【請求項２８】  コリオリ流量計が配管に連結されるようにするために上記流管延長部の末端（９０７）に連結された端側フランジ（９０６）をさらに含むことを特徴とする請求項２５に記載のコリオリ流量計。
【請求項２９】  上記ケース連結リンクが平坦な細長い曲線状部材（１１１０）を含み、
上記曲線状部材の半径方向内側端部（１１０５）が上記バランスバーの一端（１１０５）に連結され、
上記曲線状部材の軸方向外側端部（１１０６）が上記バランスバーの端部を上記ケースの内壁に連結する一連の経路をなすように上記円錐形連結部の面（１１０２）に連結され、
上記一連の経路が上記ケース連結リンクと上記円錐形連結部の一部分とからなる
ようにしたことを特徴とする請求項２１に記載のコリオリ流量計。
【請求項３０】  上記ケース連結リンクが少なくとも１つの屈曲部を有する細長い部材（１１１０）を含み、
上記細長い部材の第１の端部が上記バランスバーの一端（１１０５）に連結され、
上記細長い部材の第２の端部が上記バランスバーの端部を上記ケースの内壁に連結する一連の経路をなすように上記円錐形連結部の面に連結され、
上記一連の経路が上記ケース連結リンクと上記円錐形連結部の一部分とからなるようにしたことを特徴とする請求項２１に記載のコリオリ流量計。
【請求項３１】  上記円錐形連結部が上記ケース端部に固着された半径方向外側部分と上記流管に固着された半径方向内側部分とを有するようにしたことを特徴とする請求項１に記載のコリオリ流量計。
【請求項３２】  受けバー（７０９）によりバランスバーの両端部を流管に連結することと、
上記バランスバーが上記流管の中央部に実質的に平行になるようにして上記流管及び上記バランスバーをケース（７０３）内に収容することと、
上記バランスバー（７０２）をケース連結リンク（７１０）により上記ケースの内壁（７１２）に連結して上記ケース連結リンクが上記駆動平面内の上記流管の縦方向の軸に垂直な方向における上記受けバー及び上記バランスバーの運動を禁止するようにすることと、
上記流管の延長部と同軸状の中心部を有する上記ケース端部（７０４）にネック部（７２２）を形成して、該ネック部が上記ケース端部より突出する流管延長部の部分を取り囲み、上記流管延長部の直径より大きい直径の内面を有するようにすることと、
上記流管延長部の端側部分の外面と上記ネック部の上記内面との間の空間によって形成される上記ネック部における円形空所（７２１）を形成することと、
各々の上記ケース端部（７０４）において外面及び内面を有するの円錐形連結部（７２３）を形成することと、
上記円錐形連結部（７２３）を上記流管延長部及び上記ネック部（７２２）の上記内面に密封可能に連結することと、
上記流管延長部が各々のケース端部の開口を通って一定の直径で各々の上記ケース端部を超えて上記流管延長部の末端まで突出するように上記流管及び流管延長部を上記ケースの全長にわたって延伸させることと、
各々の上記流管延長部の末端が上記ケース端部より軸方向外方にいずれの構造にも取り付けられないようにすることと、
の各ステップからなることを特徴とするコリオリ流量計（７００）を製造する方法。
【請求項３３】  上記流管の全長にわたって上記流管を一定の直径で延伸させるステップをさらに含むようにしたことを特徴とする請求項３２に記載の方法。
【請求項３４】  上記流管を、各々の上記ケース端部における円錐形連結要素を通して延伸させるステップをさらに含むようにしたことを特徴とする請求項３３に記載の方法。
【請求項３５】  上記流管延長部の末端に端側フランジ（８０６）を取り付けるステップをさらに含むことを特徴とする請求項３４に記載の方法。
【請求項３６】  半径方向外側部分が上記ケース端部に固着され半径方向内側部分が上記流管に固着されるようにして上記円錐形連結部を形成するステップをさらに含むことを特徴とする請求項３２に記載の方法。